(57)【要約】テレテキスト受信機構成は、放送チャネル(8、9)を通じてテレテキストデータ要素を有する放送データを受信する受信機と、放送データからテレテキストデータ要素を抽出するテレテキストプロセッサ(12、13)と、一式の命令に従ってテレテキストデータ要素からカスタマイズされたテレテキストページを符号化する映像信号を生成するプロセッサ(13)とを有する。テレテキスト受信機構成は、相互作用チャネル(21)を通じてサーバ(7)と接続を確立するインタフェース(20)を有し、相互作用チャネル(21)を通じてサーバ(7)から一式の命令を実装するコンピュータコードをダウンロードするようにプログラムされる。
2005537733.tif 000002
【特許請求の範囲】
【請求項１】
放送チャネルを通じてテレテキストデータ要素を有する放送データを受信する受信機と、
前記放送データから前記テレテキストデータ要素を抽出するテレテキストプロセッサと、
一式の命令に従って前記テレテキストデータ要素からカスタマイズされたテレテキストページを符号化する映像信号を生成するプロセッサとを有し、
相互作用チャネルを通じてサーバと接続を確立するインタフェースを有し、前記相互作用チャネルを通じて前記サーバから前記一式の命令を実装するコンピュータコードをダウンロードするようにプログラムされたテレテキスト受信機構成。
【請求項２】
請求項１に記載のテレテキスト受信機構成であって、
メモリ装置を更に有し、
前記ダウンロードされたコンピュータコードを前記メモリ装置に格納するようにプログラムされ、
使用の際に、前記コードが前記メモリ装置から取り出されるテレテキスト受信機構成。
【請求項３】
請求項１又は２に記載のテレテキスト受信機構成であって、
固有の識別コードを前記サーバに伝送し、ダウンロードされるコードを特定するようにプログラムされたテレテキスト受信機構成。
【請求項４】
請求項１ないし３のうちのいずれか１項に記載のテレテキスト受信機構成であって、
２つ以上のページからのテレテキストデータ要素を前記カスタマイズされたテレテキストページに組み立てることを可能にするコードを実行可能なテレテキスト受信機構成。
【請求項５】
請求項４に記載のテレテキスト受信機構成であって、
異なるテレテキストサービスの部分である２つ以上のページからのテレテキストデータ要素を前記カスタマイズされたテレテキストページに組み立てることを可能にするコードを実行可能なテレテキスト受信機構成。
【請求項６】
請求項１ないし５のうちのいずれか１項に記載のテレテキスト受信機構成であって、
ページ選択コマンドを提供する手段を有し、
ページ選択コマンドに応じて、前記プログラムコードを動作することにより、複数のカスタマイズされたページのうちの１つを生成可能なテレテキスト受信機構成。
【請求項７】
放送チャネルを通じてテレテキストデータ要素を有する放送データを受信する受信機と、
前記放送データから前記テレテキストデータ要素を抽出するテレテキストプロセッサと、
一式の命令に従って前記テレテキストデータ要素からカスタマイズされたテレテキストページを符号化する映像信号を生成するプロセッサと
を有するテレテキスト受信機構成を適合させる方法であって、
相互作用チャネルを用いて前記テレテキスト受信機構成に接続されたサーバから、前記テレテキスト受信機構成に、前記相互作用チャネルを通じて前記一式の命令を実装するコンピュータコードを転送することを有する方法。
【請求項８】
請求項７に記載の方法であって、
ネットワークを通じて前記サーバに接続された端末から受信したコマンドに応じて、一式の命令を組み立て、前記組み立てられた一式の命令から前記コードを生成することを有する方法。
【請求項９】
請求項８に記載の方法であって、
前記カスタマイズされたテレテキストページのスクリーン画面を有する前記端末でグラフィカルユーザインタフェースを利用可能にすることを有する方法。
【請求項１０】
請求項８又は９に記載の方法であって、
テレテキスト受信機構成に固有の識別コードについて前記端末のユーザに促進し、
前記促進に応じて受信した前記識別コードに前記生成されたコードをリンク付け、
前記コードにより特定されたテレテキスト受信機構成に前記コードを転送することを有する方法。
【請求項１１】
請求項７ないし１０のうちのいずれか１項に記載の方法であって、
前記テレテキスト受信機構成で動作すると、前記テレテキスト受信機構成が２つ以上のページからのテレテキストデータ要素を前記カスタマイズされたテレテキストページに組み立てることを可能にするコードを生成することを有する方法。
【請求項１２】
請求項１１に記載の方法であって、
前記テレテキスト受信機構成で動作すると、前記テレテキスト受信機構成が異なるテレテキストサービスの部分である２つ以上のページからのテレテキストデータ要素を前記カスタマイズされたテレテキストページに組み立てることを可能にするコードを生成することを有する方法。
【請求項１３】
請求項８ないし１２のうちのいずれか１項に記載の方法であって、
前記一式の命令が、１つ以上の基準に対してチェックされる方法。
【請求項１４】
請求項１３に記載の方法であって、
前記基準が満たされたときのみ、前記コードが生成される方法。
【請求項１５】
請求項９ないし１２のうちのいずれか１項に記載の方法であって、
ユーザがカスタマイズされたテレテキストページ用の複数のテンプレートのうちの１つを選択することができるユーザインタフェースを前記端末で利用可能にし、
前記端末から受信した選択コマンドに応じて前記コードを生成することを有する方法。
【請求項１６】
請求項９ないし１５のうちのいずれか１項に記載の方法であって、
前記テレテキスト受信機構成で動作すると、ページ選択コマンドに応じて複数のカスタマイズされたページのうちの１つを生成可能なコードが生成される方法。
【請求項１７】
請求項７ないし１６のうちのいずれか１項に記載の方法を実行するように設定されたサーバ。
【請求項１８】
サーバで動作すると、請求項７ないし１６のうちのいずれか１項に記載の方法を前記サーバに実行させる機能を有するコンピュータプログラム製品。
【請求項１９】
請求項１ないし６のうちのいずれか１項に記載のテレテキスト受信機構成を有するテレビ受信機。
【請求項２０】
放送チャネルを通じてテレテキストデータ要素を有する放送データを受信する受信機と、
前記放送データから前記テレテキストデータ要素を抽出するテレテキストプロセッサと、
一式の命令に従って前記テレテキストデータ要素からカスタマイズされたテレテキストページを符号化する映像信号を生成するプロセッサと
相互作用チャネルを通じてサーバと接続を確立するインタフェースと
を有するテレビ受信機用のコンピュータプログラム製品であって、
前記テレビ受信機で動作すると、請求項１９に記載のテレビ受信機として機能させることができるコンピュータプログラム製品。
【発明の詳細な説明】
【技術分野】
【０００１】
本発明は、
放送チャネルを通じてテレテキストデータ要素を有する放送データを受信する受信機と、
放送データからテレテキストデータ要素を抽出するテレテキストプロセッサと、
一式の命令に従ってテレテキストデータ要素からカスタマイズされたテレテキストページを符号化する映像信号を生成するプロセッサと
を有するテレテキスト受信機構成に関するものである。
【０００２】
本発明は、更に、
放送チャネルを通じてテレテキストデータ要素を有する放送データを受信する受信機と、
放送データからテレテキストデータ要素を抽出するテレテキストプロセッサと、
一式の命令に従ってテレテキストデータ要素からカスタマイズされたテレテキストページを符号化する映像信号を生成するプロセッサと
を有するテレテキスト受信機構成を適合させる方法に関するものである。
【０００３】
本発明はまた、前記の方法を実行するように設定されたサーバに関するものである。
【０００４】
本発明はまた、サーバで動作すると、サーバに前記の方法を実行させる機能を有するコンピュータプログラム製品に関するものである。
【０００５】
本発明は更に、冒頭パラグラフによるテレテキスト受信機構成を有するテレビ受信機に関するものである。
【０００６】
最後に、本発明は、テレビ放送受信機端末用のコンピュータプログラム製品に関するものである。
【背景技術】
【０００７】
冒頭パラグラフに記載のテレテキスト受信機構成は、国際特許出願WO01/91456に開示されている。従来技術の構成により、ユーザがテレビ番組と同時に表示される情報バーで再生用のテレテキスト情報を選択することが可能になる。
【０００８】
このシステムでは、所定の種類のカスタマイズのみが可能である。ユーザは、どの情報が情報バーに示されるかを単に定める。異なる種類のカスタマイズを提供するためには、異なるセットのアルゴリズムがチップにプログラムされていなければならない。このようなプログラミング環境は、一般的にテレビセットで利用可能なものより強力なチップを必要とするため、前記のことをユーザがローカルで行うことは不可能である。
【発明の開示】
【発明が解決しようとする課題】
【０００９】
テレテキストページの多用途のカスタマイズを可能にするテレテキスト受信機構成と、このような構成を適合させる方法と、サーバと、前述の種類のテレビ受信機とを提供することが本発明の目的である。
【課題を解決するための手段】
【００１０】
この目的は、
放送チャネルを通じてテレテキストデータ要素を有する放送データを受信する受信機と、
放送データからテレテキストデータ要素を抽出するテレテキストプロセッサと、
一式の命令に従ってテレテキストデータ要素からカスタマイズされたテレテキストページを符号化する映像信号を生成するプロセッサとを有し、
相互作用チャネルを通じてサーバと接続を確立するインタフェースを有し、相互作用チャネルを通じてサーバから一式の命令を実装するコンピュータコードをダウンロードするようにプログラムされた本発明によるテレテキスト受信機構成により達成される。
【００１１】
従って、新たな異なる種類の命令が、映像信号を生成するプロセッサにより実行可能又は解釈可能なコードにコンパイルされ得る。コンパイルは外部(すなわち、テレテキスト受信機構成を組み込んだ装置ではないもの、例えばテレビ又はセットトップボックス)で行われ得る。コードはサーバに配置され、テレビ又はセットトップボックスにダウンロードされる。従って、装置は完全な開発環境をホストするコンピュータリソースを必要としない。他方、新たな種類の命令が提供され得る。このことにより、テレビ又はセットトップボックスの寿命を通じて新たな種類の命令が提供され得るため、カスタマイズがより多用途になる。
【００１２】
本発明の態様によると、
放送チャネルを通じてテレテキストデータ要素を有する放送データを受信する受信機と、
放送データからテレテキストデータ要素を抽出するテレテキストプロセッサと、
一式の命令に従ってテレテキストデータ要素からカスタマイズされたテレテキストページを符号化する映像信号を生成するプロセッサとを有するテレテキスト受信機構成を適合させる方法が提供され、
前記方法は、相互作用チャネルを用いてテレテキスト受信機構成に接続されたサーバから、テレテキスト受信機構成に、相互作用チャネルを通じて一式の命令を実装するコンピュータコードを転送することを有する。
【００１３】
これは、テレテキスト受信機構成がカスタマイズされたテレテキストページを提供するように適合させるために、サーバとテレテキスト受信機構成のシステムにより実行される方法である。この方法を使用することにより、広範囲の種類のカスタマイズがテレテキスト受信機構成で実施され得る。
【００１４】
前記方法は、ネットワークを通じてサーバに接続された端末から受信したコマンドに応じて一式の命令を組み立て、組み立てられた一式の命令からコードを生成することを有することが好ましい。
【００１５】
このように、プログラミング環境がテレテキスト受信機構成を組み込む装置で利用可能ではなくても、端末(パーソナルコンピュータ、インタラクティブテレビ又はセットトップボックスでもよい)を使用して、テレテキスト受信機構成をプログラムすることが可能になる。
【００１６】
本発明の更なる態様によると、請求項７−１６のうちのいずれか１項に記載の方法を実行するように設定されたサーバが提供される。
【００１７】
このように設定されたサーバは、異なる種類のカスタマイズされたテレテキストページを提供するように１つ以上のテレテキスト受信機構成を適合させる手段を提供する。
【００１８】
本発明の他の態様によると、サーバで動作すると、請求項７−１６のうちのいずれか１項に記載の方法をサーバに実行させる機能を有するコンピュータプログラム製品が提供される。
【００１９】
このコンピュータプログラム製品で、汎用サーバが本発明の適合機能を提供するために使用され得る。
【００２０】
本発明の更に他の態様によると、請求項１−６のうちのいずれか１項に記載のテレテキスト受信機構成を有するテレビ受信機が提供される。
【００２１】
テレビ受信機(例えば、セットトップボックス又は従来のテレビセットでもよい)は、より多用途になる。それは、使用の際にサーバに接続されると、多数の異なる種類のカスタマイズされたテレテキストページ(すなわち、サーバで利用可能な数と同じ程度)を提供し得る。
【発明を実施するための最良の形態】
【００２２】
次に、本発明について、添付図面を参照して更に詳細に説明する。
【００２３】
本発明はインタラクティブ放送受信機を対象としており、そのインタラクティブ放送受信機について図１にビューの例が示されている。図１において、従来のテレビセット1は、例えばケーブル接続を通じてテレビ放送信号を受信するセットトップボックス2に接続される。インタラクティブテレビセット3は、地上波放送接続から放送信号を受信する。ブロードキャスト又はマルチキャスト受信機ハードウェア及びソフトウェアを備えたパーソナルコンピュータ4は、衛星チューナ5を使用して放送信号を受信する。前述の受信機の全ては、ネットワーク6(例えばインターネット)にも接続される。その受信機は、ネットワーク6に接続された例えばサーバ7にデータのアップストリーム伝送をするためのバックチャネルを有する。
【００２４】
図２は、このような放送受信機の例として、セットトップボックス2の主要な構成要素のうちのいくつかを概略的に示している。セットトップボックス2は、デジタル放送データ用の入力8と、アナログ放送データ用の入力9とを有するハイブリッド放送受信機であり、本発明がいずれかの種類の放送データに限定されないという事実を強調する。このため、セットトップボックス2は、チューナ10とデジタルデコーダ11とを有する。デジタルデコーダは、入力8が衛星であるかケーブルであるか地上波受信であるかによって異なる。アナログデータ用の入力9に提供される放送データは、映像デコーダ12により処理される。映像デコーダ12は、入力フォーマット(例えば、PAL、NTSC又はSECAM  CVBS)からの放送データを色成分値に変換する。更に、映像デコーダは、放送信号の垂直帰線消去期間(VBI:virtual  blanking  interval)に含まれる符号化データを連続的に取得する。主に、このデータはテレテキストデータ要素を有する。
【００２５】
図２の例において、デジタルデコーダ11と映像デコーダ12の双方は、ホームエンターテイメントエンジン13(HEE:Home  Entertainment  Engine)に接続されている。この場合、HEE13は、いわゆるチップ上システム(System  on  a  Chip)であり、それぞれが映像及び音声データの処理で特有の機能を実行する複数の集積回路が１つのチップに一体化していることを意味する。HEE13は、ランダムアクセスメモリ14へのメモリコントローラ及びインタフェースと、PCI/XIOバス15へのバスコントローラ及びインタフェースとを有する。追加メモリモジュール16は、バス15を通じてアドレス指定され得る。メモリモジュールは、Nor、NAND又はSyncのフラッシュメモリでもよく、また(E)EPROM装置でもよい。HEE13は、デジタルデコーダ11から受信したデジタル放送データを処理し、特に転送ストリームの処理と逆多重化とスクランブル解読を実行する。そのHEE13は、２次元グラフィックエンジンとスクリーン上グラフィックユニットとを有する。そのスクリーン上グラフィックユニットは、ユーザインタフェースとサブタイトル付要素(subtitling  element)を定め、必要に応じてタイトル付けとテレテキスト挿入とVBI挿入を使用して、それを画像出力に重ねる。HME6のデジタル映像エンコーダは、グラフィックと映像の混合でもよい主デジタル(YCbCr)映像データを符号化し、NTSC、PAL、SECAM  CVBS又はS-video信号を生成する。そのデジタル映像エンコーダは、映像出力17を介して表示する出力用のRGB信号も生成する。デジタル音声信号は、コンバータ18によりアナログフォーマットに変換され、音声出力19を通じて利用可能になる。
【００２６】
当然のことながら、テレテキストが実装及びデコードされ得る異なる方式が存在する。この出願の文脈で使用されるテレテキスト受信機構成という用語は、放送信号からテレテキストデータ要素を抽出し、それを処理するハードウェアとソフトウェアの集合を意味することがわかる。本発明によると、テレテキスト受信機構成は、一式の命令に従ってテレテキストデータ要素からカスタマイズされたテレテキストページを符号化する映像信号を生成可能である。生成された映像信号は、HEE13により生成された前述の信号のうちの如何なるものでもよい。従って、カスタマイズされたテレテキストページは、ディスプレイによる直接の使用のためのRGB信号で利用可能になってもよく、又はそれがテレビセット1(図１)又はVCR(図示なし)に提供されるテレビ信号のVBIに挿入されてもよい。
【００２７】
HEE13はまた、モデム20にも接続される。モデム20は、ケーブルモデム、DSLモデム又は従来のモデムでもよく、相互作用チャネル21を通じてネットワーク6(図１参照)へのアクセスを提供する。このチャネル21を通じて、データがセットトップボックス2にアップロードされ、またセットトップボックス2にダウンロードされる。本発明によると、カスタマイズされたテレテキストページを符号化する映像信号を生成する一式の命令を実装するコードがダウンロードされる。このコードは、HEE13のプロセッサにより実行又は解釈され得る。
【００２８】
本発明は、如何なる特定の種類のセットトップボックス2に限定されることはないが、マルチメディア・ホーム・プラットフォーム標準(MHP:Multimedia  Home  Platform)に準拠するセットトップボックスが本発明を実装する特に好ましい環境を提供することに留意すべきである。このプラットフォームは３つのレイヤに編成される。第１レイヤは、システムリソースにより形成され、第２レイヤはシステムソフトウェアにより形成され、第３レイヤはアプリケーションにより形成される。システムソフトウェアは、システムで動作し得るプログラム(いわゆるXlets)に対する共通インタフェースを提供するJava(登録商標)仮想マシンを有する。
【００２９】
本発明のこのような実施例において、Xletはセットトップボックス2に備えられ、受信放送信号から抽出されたテレテキストデータ要素を使用してカスタマイズされたテレテキストページを生成する一式の命令を実装する。図１を参照すると、セットトップボックス2は、サーバ7からXletをダウンロードするようにプログラムされ、そのセットトップボックス2がネットワーク6を通じてサーバ7に接続される。これは、サーバ7から利用可能なXletの種類に応じて、異なる種類のカスタマイズが実行され得るという利点を有する。セットトップボックス2でXletを生成することに対してXletをダウンロードする利点は、HME6の処理容量に対する過度の需要を迅速に行うことである。ユーザフレンドリーの開発環境でXletを生成することは、それを動作するより大きいシステムリソースを必要とする。
【００３０】
本発明の第１の実施例では、セットトップボックス2がオンになった後に、セットトップボックス2の動作中にコードがダウンロードされる。これは、コードがRAM14に保存され得るという利点を有する。それは格納される必要はない。サーバ7からのデータの連続的なストリームでコードが提供される実施例が可能になる。これは、セットトップボックス2が常時接続を通じてネットワーク6にアクセス可能な場合に有用である。
【００３１】
他の実施例では、コードがダウンロードされ、メモリモジュール16に保存される。これは、セットトップボックス2がサーバ7に依存せず、それによりサーバ7が一時的に利用可能でない場合にも機能し続けるという利点を有する。
【００３２】
サーバ7がそれに接続された多様な受信機に異なるコードを伝送することを可能にするために、テレテキスト受信機構成は、固有の識別コードをサーバに伝送し、ダウンロードされるコードを特定するようにプログラムされる。これは、コードが受信機にストリーミングされないが特定の時間にダウンロードされるような本発明の全ての実施例に主に有用である。固有の識別コードの使用は、テレテキストページが表示される装置の種類を一意に特定するために使用され得ることが有利である点に留意すべきである。このように、例えば小さいセットで使用されるものから、大スクリーンを備えたテレビセットにおいて異なる種類のカスタマイズが実施され得る。更に有利な実施例では、識別コードは個々の装置のユーザを区別するために使用されてもよく、それにより各ユーザが独自の種類のカスタマイズを適用することを可能にする。
【００３３】
各ユーザは、独自のセットのコードを有し、その嗜好を実装することができる。本発明は、このコードを生成する機構も同様に提供する。テレビセット1と共にセットトップボックス2を使用することにより、又は別のパーソナルコンピュータ22を使用することにより、ユーザはサーバ7にホストされた特別のウェブサイト、又はサーバ7に接続された他のサーバにホストされた特別のウェブサイトにアクセスすることができる。ウェブサイトはフロントエンドとして機能し、１つ以上のカスタマイズされたテレテキストページを生成する一式の命令を実装するコードを生成するプログラムへのインタフェースを提供する。セットトップボックス2又はパーソナルコンピュータ22は、このプログラムにコマンドを入力する端末として機能する。
【００３４】
ユーザがセットトップボックス2を使用してカスタマイズされたテレテキストページを生成するウェブサイトにアクセスすると、セットトップボックス2は、サーバ7にこのセットトップボックス2用の固有の識別コードを提供するようにプログラムされ得る。それは、例えば特別のプロトコルを使用して、自動的に又はサーバ7への呼びかけにより行われ得る。代替として、サーバ7は、セットトップボックス2のテレテキスト受信機構成に固有の識別コードについてユーザに促し得る。ユーザはコンピュータ22のような如何なる端末からもサーバ7にアクセスすることができるため、このことは有利である。サーバ7により生成されたコードは固有の識別コードにリンク付けられ、それによりそれが後で正しいセットトップボックス2にダウンロードされ得る。
【００３５】
固有の識別コードを備えたセットトップボックス2のユーザによりパスワードが提供される実施例もまた想定される。これは、無許可の人が異なるコードをダウンロードすることにより、セットトップボックス2の設定を変更することを回避するために使用され得る。
【００３６】
図３は、本発明の一部として提供されたグラフィカルユーザインタフェース(GUI)の例を示したものである。これは、カスタマイズされたテレテキストページのスクリーン画面23からなり、現在の設定に従ってセットトップボックス2により生成されると、カスタマイズされたテレテキストページがどのようなものであるかを示す。
【００３７】
GUIに含まれる一連のボタン24-29、31をクリックすることにより、コマンドが入力される。
【００３８】
例えばヨーロッパ電気通信規格(European  Telecommunication  Standard)300706から周知のように、テレテキストデータはパケットに構成される。パケットは、テレテキスト用のデータを有する。１つ以上のページが合わせて雑誌(magazine)を形成する。１つ以上の雑誌がテレテキストサービスに含まれてもよい。放送チャネル毎に１つのテレテキストサービスが存在する。
【００３９】
ユーザは複数の異なるカスタマイズされたページを生成する命令を提供できることが好ましい。チャネル選択ボタン24により、ユーザがチャネルを選択し、その結果としてテレテキストサービスを選択することが可能になる。ページ選択ボタン25により、ユーザがそのサービスからページを選択することが可能になる。サービスからページを選択した後に、ユーザはそのページの外観をカスタマイズするように進行することができる。後に、カスタマイズされたページを生成する命令を実装するコードがセットトップボックス2にダウンロードされると、セットトップボックス2は、そのページの選択コマンドに応じて標準的なページの代わりにカスタマイズされたページを生成する。
【００４０】
一実施例において、サーバ7は、複数の所定のテンプレートから選択することを提供する。これは、カスタマイズされたテレテキストページが生成される種類を特定する非常にユーザフレンドリーな方法であるという利点を有する。コマンドに慣れるために必要な時間が少なくなり、少ない時間がオンラインで費やされる。
【００４１】
代替の実施例では、図３のGUIが備えるものと併せて、ユーザはより大きい範囲のカスタマイズを有する。この実施例では、例えば、セットトップボックス2で動作すると、テレテキスト受信機構成が２つ以上のページからのテレテキストデータ要素をカスタマイズされたテレテキストページに組み立てることを可能にするセットトップボックス2用のコードが生成される。そのコードにより、テレテキスト受信機構成が、異なるテレテキストサービスの部分である２つ以上のページからのテレテキストデータ要素をカスタマイズされたテレテキストページに組み立てることが可能になることが好ましい。
【００４２】
ボタン26をクリックすることにより、ユーザは、どのページからのどのデータ要素がカスタマイズされたテレテキストページに追加されるかを指定することができる。図３の例では、ページ201と202と203からのテキストが新たなカスタマイズされたページ201に結合される。このように、本発明を使用して、ユーザは、異なる情報源からユーザの関心のあるトピックに関連する情報を単一のカスタマイズされたテレテキストページに組み立てることができる。カスタマイズされたテレテキストページにデータ要素が追加されることをユーザが定めるとすぐに、サーバ7のソフトウェアが、カスタマイズされたテレテキストページ用のこれらの設定(カラムやフォントやパラグラフの設定)を自動的に計算し、選択された全ての情報がテレビセット1のスクリーンに適合することを可能にすることが好ましい。
【００４３】
本発明の文脈において、カスタマイズされたテレテキストページは、放送局により提供されるテレテキストページと外観上異なる何らかのテレテキストページである。従って、必ずしも内容(のみ)について異なる必要はなく、その外観について異なり得る。例えば、‘カラム’ボタン27をクリックすることにより、ユーザは構成をテレテキストページ内容の列に変更することができる。ユーザが広い形式のスクリーンでページを見ていることを認識しており、それにより読みやすさを損なわずに複数の列が並んで構成できる場合に、このことが有用である。‘フォント’ボタン28をクリックすることにより、ユーザはテキストの外観(例えば、表示されている大きさ及び／又は色)を変更することができる。‘パラグラフ’ボタン29をクリックすることにより、ユーザはテレテキスト情報の構成をパラグラフに変更する(例えばそれぞれの元の放送ページからの情報をカスタマイズされたページの別個のパラグラフに一致させる)ことができる。更に、線が列又はパラグラフを分離し、それにより、どのページからカスタマイズされたページの要素が生じたものかをユーザが認識する。このボタン29で、ユーザは線の間隔とパラグラフの間隔を更に変更し、可能な最善の方法で情報をページに適合することができる。
【００４４】
本発明によると、どのカスタマイズされたテレテキストページが生成されるかに従って、一式の命令が１つ以上の基準に対してチェックされる。従って、ユーザは、テレテキスト受信機構成により生成不可能なカスタマイズされたテレテキストページを指定することはできない。この機能は、目的のテレビセットでは明瞭に表示不可能なカスタマイズされたページの生成を回避するためにも使用され得る。図３のGUIにおいて、基準が満たされない場合にはすぐに、‘誤設定’フィールド30がブリンクし始める。
【００４５】
本発明の好ましい実施例では、基準が満たされない場合には、テレテキスト受信機構成にダウンロードされるコードは生成されない。基準が満たされ、ユーザがカスタマイズされたテレテキストページの外観に満足すると、‘保存’ボタン31のクリックにより、ダウンロードされるコードが生成されることが確保される。ユーザがカスタマイズされたテレテキストページを変更しないことを決定すると(古い設定を保持する)、‘キャンセル’ボタン32のクリックにより、新しくダウンロードされるコードが生成されなくなる。
【００４６】
当然のことながら、本発明は前述の実施例に限定されない。その実施例は特許請求の範囲内で多数の方式で変更され得る。例えば、ダウンロードされるコードを生成するプログラムに対する代替のインタフェースも可能である。更に、インタフェースは、インターネットを通じてアクセス可能なウェブのフロントエンドを用いて提供される必要はない。サーバ16のプログラムにアクセスする代替の方法も可能である。
【図面の簡単な説明】
【００４７】
【図１】本発明が実装され得る放送システムの概略図である。
【図２】本発明によるテレテキスト受信機構成を組み込んだハイブリッド型セットトップボックスの構成の概略図である。
【図３】カスタマイズされたテレテキストページをプログラムするサーバにより提供されるユーザインタフェースのスクリーン画面である。
【図１】
2005537733.tif 000003
【図２】
2005537733.tif 000004
【図３】
2005537733.tif 000005
【国際調査報告】
2005537733.tif 000006
2005537733.tif 000007
2005537733.tif 000008
2005537733.tif 000009